(57)【要約】【課題】嵌合部付き袋体であって、内容物の出し入れの利便性を高めることができる嵌合部付き袋体を提供する。【解決手段】嵌合部付き袋体１０において、重ね合わされた第１のフィルム材２１と第２のフィルム材２２とがそれらの周縁部で連続しており、周縁部に複数の開口部２を有する袋本体２０と、それぞれの開口部２における第１のフィルム材２１と第２のフィルム材２２の互いに対向する面に形成され、互いに脱着自在に嵌合して開口部２を開閉する雄側嵌合部３１，４１及び雌側嵌合部３２，４２を有する嵌合部３と、第１のフィルム材２１と第２のフィルム材２２とに挟まれかつ周縁部と嵌合部３に包囲されて内容物を収容可能な収容部２５と、を備える。【選択図】  図２
2017165486.tif 000002
【特許請求の範囲】
【請求項１】
重ね合わされた第１のフィルム材と第２のフィルム材とがそれらの周縁部で連続しており、前記周縁部に複数の開口部を有する袋本体と、
それぞれの前記開口部における前記第１のフィルム材と前記第２のフィルム材の互いに対向する面に形成され、互いに脱着自在に嵌合して前記開口部を開閉する雄側嵌合部及び雌側嵌合部を有する嵌合部と、
前記第１のフィルム材と前記第２のフィルム材とに挟まれかつ前記周縁部と前記嵌合部に包囲されて内容物を収容可能な収容部と、
を備えることを特徴とする嵌合部付き袋体。
【請求項２】
前記開口部が、少なくとも第１の開口部と第２の開口部とを有し、
前記嵌合部が、第１の嵌合部と第２の嵌合部とを有し、
前記第１の嵌合部が、前記第１の開口部近傍であって前記第１のフィルム材と前記第２のフィルム材の互いに対向する面に形成され、
前記第２の嵌合部が、前記第２の開口部近傍であって前記第１のフィルム材と前記第２のフィルム材の互いに対向する面に形成され、
前記第１の嵌合部と前記第２の嵌合部との間に前記収容部を備えることを特徴とする請求項１に記載の嵌合部付き袋体。
【請求項３】
前記嵌合部が、前記開口部において、前記収容部に対する出入り方向に多段で設けられていることを特徴とする請求項１または請求項２に記載の嵌合部付き袋体。
【請求項４】
前記嵌合部は、嵌合を解除するために必要な嵌合強度が、収容部内側からの嵌合強度に比べ、収容部外側からの嵌合強度が低く設定されていることを特徴とする請求項１〜請求項３のいずれか１項に記載の嵌合部付き袋体。
【請求項５】
複数の前記嵌合部のうち少なくともいずれか１つの嵌合部が、延在方向の所定間隔おきに、フィルム材厚み方向に一部分が潰れて凹部となった前記雄側嵌合部を有することを特徴とする請求項１〜請求項４のいずれか１項に記載の嵌合部付き袋体。
【請求項６】
前記開口部の対向する内面に、開口縁部に沿って、対向面方向に突出するリブが形成されていることを特徴とする請求項１〜請求項５のいずれか１項に記載の嵌合部付き袋体。
【請求項７】
前記リブが、対向する内面のそれぞれに突設されるとともに、前記収容部に対する出入り方向にずれて配置されることを特徴とする請求項６に記載の嵌合部付き袋体。
【請求項８】
前記嵌合部が、前記開口部において、前記収容部に対する出入り方向に多段で設けられ、
前記開口部における複数の前記嵌合部のうち開口部側の前記嵌合部が、延在方向の所定間隔おきに、フィルム材厚み方向に一部分が潰れて凹部となった前記雄側嵌合部を有することを特徴とする請求項１または請求項２に記載の嵌合部付き袋体。
【発明の詳細な説明】
【技術分野】
【０００１】
本発明は、嵌合部付き袋体に関する。
【背景技術】
【０００２】
食品、雑貨等の様々な分野において、袋本体の開口部近傍の内面に、開口部を開閉自在に封じる嵌合部を備える嵌合部付き袋体が広く用いられている（特許文献１等参照）。
【先行技術文献】
【特許文献】
【０００３】
【特許文献１】特開２００５−１４５５３６号公報
【発明の概要】
【発明が解決しようとする課題】
【０００４】
しかしながら、従来の袋体では内容物の出し入れ方向が限られていた。内容物の出し入れには、入れた方向と異なる方向から出したり、入れた方向と異なる方向から他の内容物を挿入したりしたい場合がある。
【０００５】
本発明は上記状況に鑑みてなされたもので、その目的は、嵌合部付き袋体であって、内容物の出し入れの利便性を高めることができる嵌合部付き袋体を提供することにある。
【課題を解決するための手段】
【０００６】
次に、上記の課題を解決するための手段を、実施の形態に対応する図面を参照して説明する。
本発明の請求項１記載の嵌合部付き袋体１０は、重ね合わされた第１のフィルム材２１と第２のフィルム材２２とがそれらの周縁部２３で連続しており、前記周縁部２３に複数の開口部２を有する袋本体２０と、
それぞれの前記開口部２における前記第１のフィルム材２１と前記第２のフィルム材２２の互いに対向する面に形成され、互いに脱着自在に嵌合して前記開口部２を開閉する雄側嵌合部３１，４１及び雌側嵌合部３２，４２を有する嵌合部３と、
前記第１のフィルム材２１と前記第２のフィルム材２２とに挟まれかつ前記周縁部２３と前記嵌合部３に包囲されて内容物を収容可能な収容部２５と、
を備えることを特徴とする。
【０００７】
この嵌合部付き袋体１０では、袋本体２０に複数の開口部２が設けられる。全ての開口部２における嵌合部３が嵌合により閉鎖されると、収容部２５が密閉される。内容物は、所定位置の嵌合部３が嵌合解除されることにより取り出しが可能となる。この内容物の取り出しは、取り出し方向が、複数設けられる。すなわち、所望の取り出し方向とすることができる。また、所望の嵌合部３を嵌合解除することにより、収容部２５内の内容物へのアクセス（接触、接続、支持、一部分の切り出し等）が可能となる。開閉自在に開口部２が複数あることにより、内容物に対してそれぞれの開口部２から、異なるアクセスを同時に行うことも可能となる。また、内容物は、収容方向の開口部２と異なる開口部２からの取り出しが可能となる。この場合、例えば内容物が未接触の開口部２を開封操作することができる。
【０００８】
本発明の請求項２記載の嵌合部付き袋体１０は、請求項１に記載の嵌合部付き袋体であって、
前記開口部２が、少なくとも第１の開口部２０ａと第２の開口部２０ｂとを有し、
前記嵌合部３が、第１の嵌合部３０と第２の嵌合部４０とを有し、
前記第１の嵌合部３０が、前記第１の開口部２０ａ近傍であって前記第１のフィルム材２１と前記第２のフィルム材２２の互いに対向する面に形成され、
前記第２の嵌合部４０が、前記第２の開口部２０ｂ近傍であって前記第１のフィルム材２１と前記第２のフィルム材２２の互いに対向する面に形成され、
前記第１の嵌合部３０と前記第２の嵌合部４０との間に前記収容部２５を備えることを特徴とする。
【０００９】
この嵌合部付き袋体１０では、第１の開口部２０ａに第１の嵌合部３０が設けられ、第２の開口部２０ｂに第２の嵌合部４０が設けられる。これにより、開口部２の特性に応じた異なる嵌合部３を設けることが可能となる。例えば嵌合部付き袋体１０は、第１の開口部２０ａが上、第２の開口部２０ｂが下となる場合、内容物により第２の嵌合部４０に大きな荷重が加わる。従って、第１の嵌合部３０よりも第２の嵌合部４０の収容部２５内側からの嵌合力を高めることにより密封機能の信頼性を高めることができる。
【００１０】
本発明の請求項３記載の嵌合部付き袋体は、請求項１または請求項２に記載の嵌合部付き袋体であって、
前記嵌合部３が、前記開口部２において、前記収容部２５に対する出入り方向に多段で設けられていることを特徴とする。
【００１１】
この嵌合部付き袋体１０Ａでは、収容部２５内側が、収容部２５外側に対して複数の嵌合部３により閉鎖される。開口部２に設けられている多段の嵌合部３のうちの一部が嵌合不良であっても、他の嵌合部３により収容部２５の気密性・密閉性が確保される。
【００１２】
本発明の請求項４記載の嵌合部付き袋体は、請求項１〜請求項３のいずれか１項に記載の嵌合部付き袋体であって、
前記嵌合部３は、嵌合を解除するために必要な嵌合強度が、収容部２５内側からの嵌合強度に比べ、収容部２５外側からの嵌合強度が低く設定されていることを特徴とする。
【００１３】
この嵌合部付き袋体１０では、嵌合部３は、内外の方向で嵌合強度が異なるものとされる。すなわち、収容部２５内側からの嵌合強度に比べ、収容部２５外側からの嵌合強度が低い。収容部２５外側（開口縁部５３側）からの開放が容易となる一方、収容部２５内側からは開放がしにくくなる。これにより、不用意に開いてしまう（開放してしまう）ことを抑制できる。例えば内部の気圧など圧力が高まっても簡単には開放せず、特に開口部２が複数ある構成としては安全である。
【００１４】
本発明の請求項５記載の嵌合部付き袋体は、請求項１〜請求項４のいずれか１項に記載の嵌合部付き袋体であって、
複数の前記嵌合部３のうち少なくともいずれか１つの嵌合部３が、延在方向の所定間隔おきに、フィルム材厚み方向に一部分が潰れて凹部５０となった前記雄側嵌合部３１，４１を有することを特徴とする。
【００１５】
この嵌合部付き袋体１０では、嵌合部３の雄側嵌合部３１，４１に所定間隔で凹部５０を形成することにより、閉鎖操作時に雌側嵌合部３２，４２への凹部嵌入音（プチプチ音）を出すとともに、閉鎖操作者の手指に凹部嵌入触感を感じさせることができる。これにより、確実に閉まっているかを明確に実感でき、閉鎖操作の操作感が向上する。
【００１６】
本発明の請求項６記載の嵌合部付き袋体は、請求項１〜請求項５のいずれか１項に記載の嵌合部付き袋体であって、
前記開口部２の対向する内面に、開口縁部５３に沿って、対向面方向に突出するリブ５４が形成されていることを特徴とする。
【００１７】
この嵌合部付き袋体１０Ａでは、開口部２の内面にリブ５４が突設されることにより、例えば静電気等により第１のフィルム材２１と第２のフィルム材２２とが密着しにくくなる。また、リブ５４が、開口縁部５３に沿って突出することにより、開口縁部５３の剛性や引っ張り強度が高まる。また、リブ５４に手指が掛かり易くなり、厚みの薄いフィルム材であっても把持しやすくなる。
【００１８】
本発明の請求項７記載の嵌合部付き袋体は、請求項６に記載の嵌合部付き袋体であって、
前記リブ５４が、対向する内面のそれぞれに突設されるとともに、前記収容部２５に対する出入り方向にずれて配置されることを特徴とする。
【００１９】
この嵌合部付き袋体１０Ａでは、リブ５４が出入り方向でずれて互い違いな位置で設けられることにより、嵌合部３の開口容易性、強度を向上させながら、対向面でのリブ同士の接触が回避される。
【００２０】
本発明の請求項８記載の嵌合部付き袋体１は、請求項１または請求項２に記載の嵌合部付き袋体であって、
前記嵌合部３が、前記開口部２において、前記収容部２５に対する出入り方向に多段で設けられ、
前記開口部２における複数の前記嵌合部３のうち開口部側の前記嵌合部３が、延在方向の所定間隔おきに、フィルム材厚み方向に一部分が潰れて凹部５０となった前記雄側嵌合部３１，４１を有することを特徴とする。
【００２１】
この嵌合部付き袋体１０Ａでは、凹部５０を有する嵌合部３よりも、密閉性の高い嵌合部３が、収容部２５内側となるように配置されることで、例えば液体や半流動体等の内容物を漏れにくくできる。
【発明の効果】
【００２２】
本発明に係る請求項１記載の嵌合部付き袋体によれば、内容物の出し入れに、入れた方向と異なる方向から出したり、入れた方向と異なる方向から他の内容物を挿入したりなど、複数の開口部により内容物の出し入れの利便性を高めることができる。
【００２３】
本発明に係る請求項２記載の嵌合部付き袋体によれば、２つの開口部により内容物の出し入れの利便性を高めることができる。
【００２４】
本発明に係る請求項３記載の嵌合部付き袋体によれば、多段の嵌合部により気密性・密閉性を向上させることができる。
【００２５】
本発明に係る請求項４記載の嵌合部付き袋体によれば、収容部外側から開放を容易として開放操作性を高める一方、収容部内側からは開放しにくくして収容性能の信頼性を高めることができる。
【００２６】
本発明に係る請求項５記載の嵌合部付き袋体によれば、嵌合部の延在方向の閉鎖に伴って所定間隔の凹部嵌入音及び凹部嵌入触感を生じさせることができ、閉鎖操作感を向上させることができる。
【００２７】
本発明に係る請求項６記載の嵌合部付き袋体によれば、開口縁部に沿って設けられるリブによって、開口部における開口操作のしにくさを低減できる。また、開口部の強度を向上させることができる。また、開口部を開けやすくできる。
【００２８】
本発明に係る請求項７記載の嵌合部付き袋体によれば、袋本体を重ねたときにリブ同士が重なることによる厚みの増大を抑制でき、袋体を重ねた際の積層時の嵩張りを抑制できる。
【００２９】
本発明に係る請求項８記載の嵌合部付き袋体によれば、気密性・密閉性を向上させながら、閉鎖操作感を向上させることができる。
【図面の簡単な説明】
【００３０】
【図１】（ａ）は本発明の嵌合部付き袋体の一例を示した正面図であり、（ｂ）はその嵌合部付き袋体の第１のフィルム材と第２のフィルム材とが連続している部分を斜線部で示した図である。
【図２】図１（ａ）の嵌合部付き袋体のＩＩ−ＩＩで切断したときの要部断面図である。
【図３】図１（ａ）の嵌合部付き袋体の第１の嵌合部を拡大した断面図である。
【図４】図１（ａ）の嵌合部付き袋体の第２の嵌合部を拡大した断面図である。
【図５】（ａ）は凹部を有した雄側嵌合部の成形過程を表す説明図、（ｂ）は凹部の設けられた雄側嵌合部の拡大斜視図である。
【図６】凹部嵌入音を生じさせる構造の図であって、（ａ）は凹部のない部分における嵌合構造の断面図、（ｂ）は凹部のある部分における嵌合構造の断面図である。
【図７】（ａ）は開口部に２つの嵌合部と２つのリブを有する構成例の正面図、（ｂ）は（ａ）の断面図である。
【図８】図７（ａ）に示した嵌合部付き袋体の上側のみの断面図である。
【図９】（ａ）は本発明の嵌合部付き袋体の他の構成例を示した正面図であり、（ｂ）はその嵌合部付き袋体の第１のフィルム材と第２のフィルム材とが連続している部分を斜線部で示した図である。
【図１０】（ａ）は本発明の嵌合部付き袋体の他の構成例を示した正面図であり、（ｂ）はその嵌合部付き袋体の第１のフィルム材と第２のフィルム材とが連続している部分を斜線部で示した図である。
【図１１】（ａ）は本発明の嵌合部付き袋体の他の構成例を示した正面図であり、（ｂ）はその嵌合部付き袋体の第１のフィルム材と第２のフィルム材とが連続している部分を斜線部で示した図である。
【図１２】本発明の嵌合部付き袋体の開口部が異なる変形例を（ａ）〜（ｄ）で表した断面図である。
【図１３】本発明の嵌合部付き袋体の開口部が異なる他の変形例を（ａ）〜（ｅ）で表した断面図である。
【発明を実施するための形態】
【００３１】
以下、本発明に係る実施形態を図面を参照して説明する。
図１（ａ）は本発明の嵌合部付き袋体の一例を示した正面図であり、（ｂ）はその嵌合部付き袋体の第１のフィルム材と第２のフィルム材とが連続している部分を斜線部で示した図、図２は図１（ａ）の嵌合部付き袋体のＩＩ−ＩＩで切断したときの要部断面図である。
本実施形態の嵌合部付き袋体１０は、図１及び図２に示すように、重ね合わされた第１のフィルム材２１と第２のフィルム材２２とがそれらの周縁部２３で連続しており、周縁部２３に複数の開口部２を有する袋本体２０と、それぞれの開口部２における第１のフィルム材２１と第２のフィルム材２２の互いに対向する面に形成され、互いに脱着自在に嵌合して開口部２を開閉する雄側嵌合部３１，４１及び雌側嵌合部３２，４２を有する嵌合部３と、第１のフィルム材２１と第２のフィルム材２２とに挟まれかつ周縁部２３と嵌合部３に包囲されて内容物を収容可能な収容部２５と、を備える。
【００３２】
より具体的に嵌合部付き袋体１０は、内容物を収容する袋本体２０と、袋本体２０内の上部の内面に横方向に沿って形成された嵌合部３である第１の嵌合部３０と、袋本体２０内の下部の内面に横方向に沿って形成された嵌合部３である第２の嵌合部４０とを有している。
【００３３】
袋本体２０は、第１のフィルム材２１と第２のフィルム材２２が重ね合わされ、それらの周縁部２３が連続するように接合されることで形成されている。なお、周縁部２３が連続するとは、第１のフィルム材２１と第２のフィルム材２２とが溶断シール、ヒートシールなどで接合されて連続すること、及び１枚のフィルム材が折り返されることにより連続することなどを含み、フィルムが繋がって続くことをいう。なお、図１（ｂ）の斜線部は、周縁部２３が連続している部分を示している。
【００３４】
第１の嵌合部３０及び第２の嵌合部４０は、図２に示すように、第１のフィルム材２１と第２のフィルム材２２の互いに対向する面に形成され、袋本体２０と一体的に形成されている。
また、本実施形態の嵌合部付き袋体１０は、第１の嵌合部３０と第２の嵌合部４０との間に内容物を収容可能な収容部２５を有している。
【００３５】
袋本体２０の形状は、本実施形態では矩形である。ただし、袋本体２０の形状は後述するが矩形には限定されない。また、袋本体２０の大きさも特に限定されず、袋本体２０に収容する内容物によって適宜選定すればよい。
【００３６】
袋本体２０を形成する第１のフィルム材２１と第２のフィルム材２２は、例えば、低密度ポリエチレンや直鎖状低密度ポリエチレン、高密度ポリエチレンなどのポリエチレン、無延伸ポリプロピレン、エチレン−酢酸ビニル共重合体、アイオノマー等で形成される。
【００３７】
また、第１のフィルム材２１と第２のフィルム材２２は、単層であってもよく、バリア層等の機能層を設けてもよい。
また、第１のフィルム材２１と第２のフィルム材２２は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
【００３８】
袋本体２０に形成された開口部２である第１の開口部２０ａ及び開口部２である第２の開口部２０ｂは、それぞれ第１の嵌合部３０の雄側嵌合部３１と雌側嵌合部３２、及び第２の嵌合部４０の雄側嵌合部４１と雌側嵌合部４２を着脱することで繰り返し開閉できる。第１の嵌合部３０及び第２の嵌合部４０は、それぞれ第１の開口部２０ａ及び第２の開口部２０ｂを封じて収容部２５内に内容物を保持するためのものである。
【００３９】
第１の嵌合部３０は、図２に示すように、第１の開口部２０ａ近傍に設けられ、互いに着脱自在に嵌合する雄側嵌合部３１及び雌側嵌合部３２と、を有している。
【００４０】
第１の嵌合部３０は、袋本体２０を形成する第１のフィルム材２１と第２のフィルム材２２と同じ材料から形成されていてもよく、異なっていてもよい。材料としては、例えば、低密度ポリエチレンや直鎖状低密度ポリエチレン、高密度ポリエチレンなどのポリエチレン、無延伸ポリプロピレン、エチレン−酢酸ビニル共重合体、アイオノマー等が挙げられる。
【００４１】
また、第１の嵌合部３０は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
【００４２】
図３は図１（ａ）の嵌合部付き袋体の第１の嵌合部を拡大した断面図である。
第１の嵌合部３０の雌側嵌合部３２は、図３に示すように、第２のフィルム材２２の対向部２２ａからそれぞれ立ち上がり、雄側嵌合部３１が嵌まり込む凹部３２ｃを形成する第１のアーム部３２ａ及び第２のアーム部３２ｂを有しており、第２のアーム部３２ｂ側を袋体の内容物を収容する収容部２５側にして第２のフィルム材２２の第１の開口部２０ａ近傍の内面に形成されている。
【００４３】
図３に示すように、雌側嵌合部３２は、第１のアーム部３２ａ及び第２のアーム部３２ｂが上下対称に形成されている。また、雌側嵌合部３２は、第１のアーム部３２ａ及び第２のアーム部３２ｂの先端が凹部３２ｃ側に折り返されたフック状に形成されている。
【００４４】
雄側嵌合部３１は、第１のフィルム材２１の対向部２１ａから立ち上がる幹部３１ａと、幹部３１ａの先端部に設けられた、幹部３１ａよりも大きい断面略半円形状の頭部３１ｂを有している。図３に示すように、頭部３１ｂの第１の開口部２０ａ側は、幹部３１ａに対して約１３５°の角度で連続するように形成されている。また、頭部３１ｂの収容部２５側は、幹部３１ａに対して約９０°の角度で連続するように形成されている。
【００４５】
雌側嵌合部３２は、第２のフィルム材２２の対向部２２ａから断面円弧状に立ち上がる第１のアーム部３２ａと第２のアーム部３２ｂからなり、第１のアーム部３２ａと第２のアーム部３２ｂによって凹部３２ｃが形成されている。雄側嵌合部３１と雌側嵌合部３２は、雄側嵌合部３１の頭部３１ｂを雌側嵌合部３２の凹部３２ｃに嵌め込むことで、着脱自在に嵌合できるようになっている。
【００４６】
第１の嵌合部３０は、雄側嵌合部３１の頭部３１ｂの第１の開口部２０ａ側が、幹部３１ａに対して約１３５°、頭部３１ｂの収容部２５側が、幹部３１ａに対して約９０°の角度の角度で連続するように形成されているため、雄側嵌合部３１の頭部３１ｂが、雌側嵌合部３２の第２のアーム部３２ｂよりも第１のアーム部３２ａの方が乗り越えやすく構成されている。これにより、雄側嵌合部３１と雌側嵌合部３２との嵌合を解除する際に、収容部２５側から解除するよりも第１の開口部２０ａ側から解除する方が、小さな力で解除することができる。
【００４７】
第１の嵌合部３０は、第１の開口部２０ａ側の嵌合強度、すなわち嵌合を解除するために必要な力が、５．０Ｎ／５０ｍｍ以上２０．０Ｎ／５０ｍｍ以下であり、１０．０Ｎ／５０ｍｍ以上１５．０Ｎ／５０ｍｍ以下であることが好ましい。嵌合強度が５．０Ｎ／５０ｍｍ以上であれば第１の開口部２０ａ側から容易に解除されず、２０．０Ｎ／５０ｍｍ以下であれば、解除に大きな力を必要としない。
【００４８】
一方、第１の嵌合部３０は、収容部２５側の嵌合強度が、１５．０Ｎ／５０ｍｍ以上２５．０Ｎ／５０ｍｍ以下であり、１８．０Ｎ／５０ｍｍ以上２３．０Ｎ／５０ｍｍ以下であることが好ましい。嵌合強度が１５．０Ｎ／５０ｍｍ以上であれば内容物を保持することができ、２５．０Ｎ／５０ｍｍ以下であれば、必要に応じて収容部２５側の第１のフィルム材２１と第２のフィルム材２２を摘まんで広げることで解除することができる。
なお、嵌合強度は、嵌合部付袋体より５０ｍｍ幅の試験片を切り出し、引張試験機（東洋精機製作所社製、ストログラフ）を用いて嵌合部幅５０ｍｍ幅当りの嵌合強度を試験速度５０ｍｍ／ｍｉｎにて測定し、適性を調べることができる。
【００４９】
第２の嵌合部４０は、図２に示すように、第１のフィルム材２１の対向部２１ｂ及び第２のフィルム材２２の対向部２２ｂのそれぞれに第２の開口部２０ｂの近傍に設けられ、互いに着脱自在に嵌合する雄側嵌合部４１及び雌側嵌合部４２と、を有している。
【００５０】
第２の嵌合部４０は、袋本体２０を形成する第１のフィルム材２１と第２のフィルム材２２と同じ材料から形成されていてもよく、異なっていてもよい。材料としては、例えば、低密度ポリエチレンや直鎖状低密度ポリエチレン、高密度ポリエチレンなどのポリエチレン、無延伸ポリプロピレン、エチレン−酢酸ビニル共重合体、アイオノマー等が挙げられる。
【００５１】
また、第２の嵌合部４０は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
【００５２】
図４は図１（ａ）の嵌合部付き袋体の第２の嵌合部を拡大した断面図である。
第２の嵌合部４０の雌側嵌合部４２は、図４に示すように、第２のフィルム材２２の対向部２２ｂからそれぞれ立ち上がり、雄側嵌合部４１が嵌まり込む凹部４２ｃを形成する第１のアーム部４２ａ及び第２のアーム部４２ｂを有しており、第１のアーム部４２ａ側を袋体の収容部２５側にして第２のフィルム材２２の第２の開口部２０ｂの内面に形成されている。
【００５３】
図４に示すように、雌側嵌合部４２は、第１のアーム部４２ａ及び第２のアーム部４２ｂが上下対称に形成されている。また、雌側嵌合部４２は、第１のアーム部４２ａ及び第２のアーム部４２ｂの先端が凹部４２ｃ側に折り返されたフック状に形成されている。
【００５４】
雄側嵌合部４１は、第１のフィルム材２１の対向部２１ｂから立ち上がる幹部４１ａと、幹部４１ａの先端部に設けられた、幹部４１ａよりも大きい断面略半円形状の頭部４１ｂを有している。図４に示すように、頭部４１ｂの収容部２５側は、幹部４１ａに対して約６５°の角度で連続するように形成されている。一方、頭部４１ｂの第２の開口部２０ｂ側は、幹部４１ａに対して約１３５°の角度で連続するように形成されている。
【００５５】
雌側嵌合部４２は、第２のフィルム材２２の対向部２２ｂから断面円弧状に立ち上がる第１のアーム部４２ａと第２のアーム部４２ｂからなり、第１のアーム部４２ａと第２のアーム部４２ｂによって凹部４２ｃが形成されている。雄側嵌合部４１と雌側嵌合部４２は、雄側嵌合部４１の頭部４１ｂを雌側嵌合部４２の凹部４２ｃに嵌め込むことで、着脱自在に嵌合できるようになっている。
【００５６】
第２の嵌合部４０は、雄側嵌合部４１の頭部４１ｂの収容部２５側が、幹部４１ａに対して約６５°の角度、頭部４１ｂの第２の開口部２０ｂ側が、幹部４１ａに対して約１３５°の角度で連続するように形成されているので、雄側嵌合部４１の頭部４１ｂが、雌側嵌合部４２の第１のアーム部４２ａよりも第２のアーム部４２ｂの方が乗り越えやすく構成されている。これにより、雄側嵌合部４１と雌側嵌合部４２との嵌合を解除する際に、収容部２５側から解除するよりも第２の開口部２０ｂ側から解除する方が、小さな力で解除することができる。
なお、第２の嵌合部４０では、雄側嵌合部４１の頭部４１ｂの収容部２５側が、幹部４１ａに対して約６５°の角度で連続するように形成されているため、雄側嵌合部４１と雌側嵌合部４２との嵌合を解除する際に、雌側嵌合部４２の第１のアーム部４２ａのフック状の部分と嵌まり合う。これにより、第２の嵌合部４０の収容部２５側は、第１の嵌合部３０の収容部２５側よりも、嵌合強度が大きくなる。
【００５７】
第２の嵌合部４０は、第２の開口部２０ｂ側の嵌合強度、すなわち嵌合を解除するために必要な力が、５．０Ｎ／５０ｍｍ以上２０．０Ｎ／５０ｍｍ以下であり、１０．０Ｎ／５０ｍｍ以上１５．０Ｎ／５０ｍｍ以下であることが好ましい。嵌合強度が５．０Ｎ／５０ｍｍ以上であれば第２の開口部２０ｂ側から容易に解除されず、２０．０Ｎ／５０ｍｍ以下であれば、解除に大きな力を必要としない。
【００５８】
一方、第２の嵌合部４０は、収容部２５側の嵌合強度が、３５．０Ｎ／５０ｍｍ以上５０．０Ｎ／５０ｍｍ以下であり、３７．０Ｎ／５０ｍｍ以上４８．０Ｎ／５０ｍｍ以下であることが好ましい。嵌合強度が３５．０Ｎ／５０ｍｍ以上であれば重い内容物を保持することができる。
【００５９】
次に、本発明を適用した例を示す。なお、図１（ａ）の上下方向を高さ、左右方向を幅として説明する。
嵌合部付き袋体は、高さが３００ｍｍ、幅が２５０ｍｍ、第１の開口部２０ａから第１の嵌合部３０までの距離が３０ｍｍ、第２の開口部２０ｂから第２の嵌合部４０までの距離が３０ｍｍ、第１の嵌合部３０と第２の嵌合部４０との離間距離が２４０ｍｍで形成されている。
【００６０】
また、第１の嵌合部３０の第１の開口部２０ａ側の嵌合強度が１２．０Ｎ／５０ｍｍ、収容部２５側の嵌合強度が２０．０Ｎ／５０ｍｍで形成され、第２の嵌合部４０の第２の開口部２０ｂ側の嵌合強度が１２．０Ｎ／５０ｍｍ、収容部２５側の嵌合強度が４０．０Ｎ／５０ｍｍで形成されている。
【００６１】
従って、嵌合部付き袋体の嵌合部は、第１の嵌合部３０の第１の開口部２０ａ側、及び第２の嵌合部４０の第２の開口部２０ｂ側から容易に嵌合を解除することができる。また、必要であれば、収容部２５側の第１のフィルム材と第２のフィルム材とを摘まんで開くことにより、第１の嵌合部３０を収容部２５側からでも嵌合を解除することができる。一方、第２の嵌合部４０の収容部２５側は嵌合強度が大きいため、例えば内容物が収容された状態で第２の開口部２０ｂ側が下側を向けられても、第２の嵌合部４０の嵌合が解除されて内容物が落下しにくい。
【００６２】
なお、本発明の嵌合部付き袋体は、前述した形態に限定されることはない。
例えば、第１の嵌合部３０と第２の嵌合部４０との離間距離は特に限定されず、収容物に応じて離間距離を設定すればよい。
【００６３】
また、本実施形態では、第１の嵌合部３０の第１の開口部２０ａ側と第２の嵌合部４０の第２の開口部２０ｂ側の嵌合強度が等しく形成されているが、これに限られるものではなく、どちらか一方の嵌合強度を大きくしてもよい。例えば、第１の嵌合部３０の第１の開口部２０ａ側の嵌合強度を１２．０Ｎ／５０ｍｍとし、第２の嵌合部４０の第２の開口部２０ｂ側の嵌合強度を２０．０Ｎ／５０ｍｍとしてもよい。これにより、第２の嵌合部４０の開口側からは嵌合を解除しにくくなるため、チャイルドロックの機能を付与することができる。
【００６４】
また、本実施形態では、袋体と嵌合部とが一体的に形成されているが、袋体と嵌合部とを別々に形成し、それらをヒートシール等で接合させることで嵌合部付き袋体を形成してもよい。
【００６５】
上記構成の嵌合部付き袋体１０の作用を説明する。
嵌合部付き袋体１０では、袋本体２０に複数の開口部２が設けられる。全ての開口部２における嵌合部３が嵌合により閉鎖されると、収容部２５が密閉される。内容物は、いずれかの所定位置の嵌合部３が嵌合解除されることにより、その開口部２から取り出しが可能となる。この内容物の取り出しは、取り出し方向が、複数設けられる。すなわち、所望の取り出し方向とすることができる。また、所望の嵌合部３を嵌合解除することにより、収容部内の内容物へのアクセス、例えば接触や接続、支持、一部分の切り出し等が可能となる。開閉自在に開口部２が複数あることにより、内容物に対してそれぞれの開口部２から、異なるアクセスを同時に行うことも可能となる。また、内容物は、収容方向の開口部２と異なる開口部２からの取り出しが可能となる。この場合、例えば内容物が未接触の開口部２を開封操作することができる。
【００６６】
また、この嵌合部付き袋体１０では、第１の開口部２０ａに第１の嵌合部３０が設けられ、第２の開口部２０ｂに第２の嵌合部４０が設けられる。これにより、開口部２の特性に応じた異なる嵌合部３を設けることが可能となる。例えば嵌合部付き袋体１０は、第１の開口部２０ａが上、第２の開口部２０ｂが下となる場合、すなわち、上向きの開口部（第１の開口部２０ａ）と下向きの開口部（第２の開口部２０ｂ）を具備する袋体１０である場合、内容物により下側となる第２の嵌合部４０に大きな荷重が加わる。従って、第１の嵌合部３０よりも第２の嵌合部４０の収容部内側からの嵌合力を高めることにより密封機能の信頼性を高めることができる。その結果、嵌合部付き袋体１０によれば、密封機能の信頼性を高めながら、複数の開口部２により内容物の出し入れの利便性を高めることができる。
【００６７】
次に、嵌合部付き袋体１０の他の構成例及び変形例を説明する。
図５（ａ）は凹部を有した雄側嵌合部の成形過程を表す説明図、（ｂ）は凹部の設けられた雄側嵌合部の拡大斜視図である。
嵌合部付き袋体１０は、複数の嵌合部３のうち少なくともいずれか１つの嵌合部３が、延在方向の所定間隔おきに、フィルム材厚み方向に一部分が潰れて凹部５０となった雄側嵌合部３２，４２を有するものであってもよい。雄側嵌合部３２，４２は、頭部３１ｂ，４１ｂが潰されて形成、例えば加熱圧縮形成等されることにより、頭部３１ｂ，４１ｂが幹部３１ａ，４１ａ側に縮み、凹部５０が形成される。この凹部５０には、変形時に凹部５０の底面から掛かり縁５１が張り出して形成される。この掛かり縁５１は、雌側嵌合部３２，４２により係止される。
【００６８】
図６は凹部嵌入音を生じさせる構造の図であって、（ａ）は凹部のない部分における嵌合構造の断面図、（ｂ）は凹部のある部分における嵌合構造の断面図である。
この嵌合部付き袋体１０では、嵌合部３の雄側嵌合部３２，４２に所定間隔で凹部５０を形成することにより、閉鎖操作時に凹部嵌入音（プチプチ音）を出すとともに、閉鎖操作者の手指に凹部嵌入触感を感じさせることができる。これにより、確実に閉まっているかを明確に実感できる。その結果、嵌合部付き袋体１０によれば、嵌合部３の延在方向の閉鎖に伴って所定間隔の凹部嵌入音、すなわち連続するプチプチ音及び凹部嵌入触感を連続して生じさせることができ、閉鎖操作感を向上させることができる。
【００６９】
図７（ａ）は開口部に２つの嵌合部と２つのリブを有する構成例の正面図、（ｂ）は（ａ）の断面図である。
この構成例に係る嵌合部付き袋体１０Ａは、嵌合部３が、開口部２において、収容部２５に対する出入り方向に多段、例えば２段で設けられている。
【００７０】
また、嵌合部付き袋体１０Ａは、開口部２の対向する内面に、開口縁部５３に沿って、対向面方向に突出するリブ５４が形成されている。
【００７１】
図８は図７（ａ）に示した嵌合部付き袋体の上側のみの断面図である。
嵌合部付き袋体１０Ａは、リブ５４が、対向する内面のそれぞれに突設されるとともに、収容部２５に対する出入り方向にずれて配置される。
【００７２】
この嵌合部付き袋体１０Ａでは、収容部２５の内側が、収容部２５の外側に対して複数の嵌合部３により閉鎖される。開口部２に設けられている多段の嵌合部３のうちの一部が嵌合不良であっても、他の嵌合部３により収容部２５の気密性・密閉性が確保される。その結果、嵌合部付き袋体１０Ａによれば、多段の嵌合部３により気密性・密閉性を向上させることができる。
【００７３】
また、この嵌合部付き袋体１０Ａでは、開口部２の内面にリブ５４が突設されることにより、例えば静電気等により第１のフィルム材２１と第２のフィルム材２２とが密着しにくくなる。また、リブ５４が、開口縁部５３に沿って突出することにより、開口縁部５３の剛性や引っ張り強度が高まる。また、リブ５４に手指が掛かり易くなり、厚みの薄いフィルム材であっても把持しやすくなる。その結果、嵌合部付き袋体１０Ａによれば、開口部２における開口操作のしにくさを低減できる。また、開口部２の強度を向上させることができる。また、指が掛かりやすく開口部２を開けやすくできる。
【００７４】
さらに、この嵌合部付き袋体１０Ａでは、リブ５４が設けられることにより、嵌合部３の開口容易性、強度を向上させながら、対向面でのリブ５４同士の接触が回避される。その結果、嵌合部付き袋体１０Ａによれば、袋本体２０を重ねたときにリブ５４同士が重なることによる厚みの増大を抑制でき、積層時の嵩張りを抑制できる。
なお、このリブ５４についても、開口部２において、収容部２５に対する出入り方向に多段に設けられることとしてもよく、より手指の掛かりが向上し、滑り止めの効果を得られる。
【００７５】
また、嵌合部付き袋体１０Ａは、嵌合部３が、開口部２において、収容部２５に対する出入り方向に多段で設けられ、開口部２における複数の嵌合部３のうち開口部側の嵌合部３が、延在方向の所定間隔おきに、フィルム材厚み方向に一部分が潰れて凹部５０となったものとすることもできる。
【００７６】
この嵌合部付き袋体１０Ａでは、凹部５０を有する嵌合部３よりも、凹部５０を有しない密閉性の高い嵌合部３が、収容部２５側となるように配置されることで、例えば液体や半流動体等の内容物を漏れにくくできる。その結果、この嵌合部付き袋体１０Ａによれば、気密性・密閉性を向上させながら、閉鎖操作感を向上させることができ、また、閉鎖操作者の操作確認にもなる。
【００７７】
図９（ａ）は本発明の嵌合部付き袋体の他の構成例を示した正面図であり、（ｂ）はその嵌合部付き袋体の第１のフィルム材と第２のフィルム材とが連続している部分を斜線部で示した図である。
また、本実施形態では、袋本体２０の形状を矩形としたがそれに限定されるものではない。例えば、図９に示すように、嵌合部付き袋体１０Ｂは、矩形の袋本体２０の上部を、半円形に切り欠いて第１の開口部２０ａ形成した形状、すなわち、袋本体２０の幅長に比べ開口部２０ａが小さく形成されているものであってもよい。
【００７８】
図１０（ａ）は本発明の嵌合部付き袋体の他の構成例を示した正面図であり、（ｂ）はその嵌合部付き袋体の第１のフィルム材と第２のフィルム材とが連続している部分を斜線部で示した図である。
また、図１０に示すように、嵌合部付き袋体１０Ｃは、矩形の袋本体２０の上部角部を切り落として第１の開口部２０ａを形成した形状であってもよい。
【００７９】
図１１（ａ）は本発明の嵌合部付き袋体の他の構成例を示した正面図であり、（ｂ）はその嵌合部付き袋体の第１のフィルム材と第２のフィルム材とが連続している部分を斜線部で示した図である。
また、図１１に示すように、嵌合部付き袋体１０Ｄは、矩形の袋本体２０の上部角部を切り落として第１の開口部２０ａを形成し、下部角部を切り落とすことによって第２の開口部２０ｂを形成した形状であってもよい。これらの例の、第１の開口部２０ａの近傍に第１の嵌合部３０を形成し、第２の開口部２０ｂの近傍に第２の嵌合部４０を形成することで嵌合部付き袋体を形成してもよい。
【００８０】
以下に、袋本体２０の形状、嵌合部３の位置及び数のバリエーションを説明する。
図１２は本発明の嵌合部付き袋体の開口部が異なる変形例を（ａ）〜（ｄ）で表した断面図である。
図１２（ａ）に示すように、嵌合部付き袋体１０Ｅは、四角形の袋本体２０の隣接する２辺に開口部２を備え、それぞれに嵌合部３を設けることができる。
図１２（ｂ）に示すように、嵌合部付き袋体１０Ｆは、四角形の袋本体２０の１辺に２つの開口部を設け、これら２つの開口部２に嵌合部３を設けることができる。
図１２（ｃ）に示すように、嵌合部付き袋体１０Ｇは、四角形の袋本体２０の３辺に開口部２を設け、すなわち開口部２を３つ具備する袋体とされ、これら３つの開口部２に、それぞれ嵌合部３を設けることができる。
図１２（ｄ）に示すように、嵌合部付き袋体１０Ｈは、四角形の袋本体２０の１辺に開口部２を有して嵌合部３を設け、対向する辺の両側の隅部にそれぞれ開口部２を設けて、すなわち３つの開口部２を具備する構成とし、これら傾斜した一対の開口部２に嵌合部３を設けることができる。
【００８１】
図１３は本発明の嵌合部付き袋体の開口部が異なる他の変形例を（ａ）〜（ｅ）で表した断面図である。
図１３（ａ）に示すように、嵌合部付き袋体１０Ｉは、四角形の袋本体２０の３つの隅部に開口部２を設けて、各開口部２に嵌合部３を設けることができる。
図１３（ｂ）に示すように、嵌合部付き袋体１０Ｊは、四角形の袋本体２０の４つの隅部に開口部２を設け、斜めの各開口部２に嵌合部３を設け、すなわち４方向に開口部２を備える袋体とすることができる。
図１３（ｃ）に示すように、嵌合部付き袋体１０Ｋは、Ｌ字形の袋本体２０の両端に開口部２を設け、これら開口部２に嵌合部３を設けることができる。
図１３（ｄ）に示すように、嵌合部付き袋体１０Ｌは、Ｕ字形の袋本体２０のＵ字開放側と湾曲底部のそれぞれに、嵌合部３を設けることができる。この場合、湾曲底部に設けられる嵌合部３は、湾曲させて形成することができる。
図１３（ｅ）に示すように、嵌合部付き袋体１０Ｍは、Ｙ字形の袋本体２０の上部両端に開口部２を設け、異なる角度に開口部２を備える構成とし、これら開口部２に嵌合部３を設けることができる。
【００８２】
さらに、図示は省略するが、袋本体の構造としては、２つのフィルムのみが重なるようなもの以外に、マチがあるものとしても良い。マチは、周縁部に設ける構成としてもよく、また、底部に設ける構成としてもよい。
【００８３】
また、第１，第２の嵌合部３０，４０の雄側嵌合部３１，４１の頭部３１ｂ，４１ｂの形状と、雌側嵌合部４１，４２の第１のアーム部４１ａ，４２ａと第２のアーム部４１ｂ，４２ｂの形状は前述のものに限定されず、所望の嵌合強度とするために適宜形状を変更することができる。
【００８４】
例えば、上述した本実施形態では、雄側嵌合部３１の頭部３１ｂの第１の開口部２０ａ側が、幹部３１ａに対して約１３５°の角度で連続するように形成されているが、これに限定されるものではなく、所望の嵌合強度を満たすように幹部３１ａに対する角度を９５〜１５０°の鈍角としてもよい。雄側嵌合部４１の頭部４１ｂの第２の開口部２０ｂ側についても同様である。
【００８５】
また、本実施形態では、雄側嵌合部３１の頭部３１ｂの収容部２５側が、幹部３１ａに対して約９０°の角度で連続するように形成されているが、これに限定されるものではなく、所望の嵌合強度を満たすように幹部３１ａに対する角度を７５〜１０５°としてもよい。
また、本実施形態では、雄側嵌合部４１の頭部４１ｂの収容部２５側が、幹部４１ａに対して約６５°の角度で連続するように形成されているが、これに限定されるものではなく、所望の嵌合強度を満たすように幹部４１ａに対する角度を５０〜８５°の鋭角としてもよい。
【００８６】
さらに、本実施形態では、雌側嵌合部４１，４２の第１のアーム部４１ａ，４２ａと第２のアーム部４１ｂ，４２ｂは、それぞれ対称となるように形成されているが、これに限定されるものではない。
例えば、所望の嵌合強度を満たすために、図３に示すように、第１のアーム部３２ａのフック状の最内から凹部３２ｃの最外までの距離ｄ１と、第２のアーム部３２ｂのフック状の最内から凹部３２ｃの最外までの距離ｄ２が、ｄ１＜ｄ２となるように形成してもよい。
また、所望の嵌合強度を満たすために、図４に示すように、第１のアーム部４２ａのフック状の最内から凹部４２ｃの最外までの距離ｄ３と、第２のアーム部４２ｂのフック状の最内から凹部４２ｃの最外までの距離ｄ４が、ｄ４＜ｄ３となるように形成してもよい。
【００８７】
従って、本実施形態に係る嵌合部付き袋体１０によれば、複数の開口部２により内容物の出し入れの利便性を高めることができる。
【符号の説明】
【００８８】
２…開口部
３…嵌合部
１０…嵌合部付き袋体
２０…袋本体
２０ａ…開口部（第１の開口部）
２０ｂ…開口部（第２の開口部）
２１…第１のフィルム材
２２…第２のフィルム材
２３…周縁部
２５…収容部
３０…第１の嵌合部
３１…雄側嵌合部
３２…雌側嵌合部
４０…第２の嵌合部
４１…雄側嵌合部
４２…雌側嵌合部
５０…凹部
５３…開口縁部
５４…リブ
【図１】
2017165486.tif 000003
【図２】
2017165486.tif 000004
【図３】
2017165486.tif 000005
【図４】
2017165486.tif 000006
【図５】
2017165486.tif 000007
【図６】
2017165486.tif 000008
【図７】
2017165486.tif 000009
【図８】
2017165486.tif 000010
【図９】
2017165486.tif 000011
【図１０】
2017165486.tif 000012
【図１１】
2017165486.tif 000013
【図１２】
2017165486.tif 000014
【図１３】
2017165486.tif 000015